(57)【要約】【課題】異なる記録装置の間で、共通の分類項目を容易に付加して記録可能とする。【解決手段】本発明によれば、多数の分類項目からなる管理データを保存した管理装置と、それぞれ画像データを撮影して記録媒体に記録する複数の記録装置からなるシステムであって、前記複数の記録装置がそれぞれ前記管理装置から前記管理データを取得し、前記管理データにおける多数の分類項目のうち前記画像データに応じた分類項目を選択し、前記選択した分類項目を示す付加情報を前記画像データに対応付けて前記記録媒体に記録するシステムが提示される。【選択図】      図２
2004336543.tif 000002
【特許請求の範囲】
【請求項１】
画像データを記録媒体に記録する記録手段と、
多数の分類項目からなる管理データを装置外部より受信する通信手段と、
前記管理データにおける多数の分類項目より前記画像データに応じた分類項目を選択し、前記選択した分類項目を示す付加情報を前記画像データに対応付けて前記記録媒体に記録するよう前記記録手段を制御する制御手段とを備える記録装置。
【請求項２】
前記管理データは前記分類項目に対応した時間情報を有し、前記制御手段は前記時間情報に基づいて前記画像データに応じた分類項目を選択することを特徴とする請求項１記載の記録装置。
【請求項３】
前記制御手段はタイマを有し、前記タイマにより得られる時刻情報と前記管理データ内の時間情報とに基づいて前記分類項目を選択することを特徴とする請求項２記載の記録装置。
【請求項４】
前記制御手段は、前記時刻情報と前記管理データ内の各分類項目に対応した時間情報とをそれぞれ比較し、前記時刻情報が前記時間情報に指定された範囲内に含まれる場合に、この時間情報に対応した分類項目を選択することを特徴とする請求項３記載の記録装置。
【請求項５】
前記管理データは前記分類項目に対応した地域情報を有し、前記制御手段は前記地域情報に基づいて前記画像データに応じた分類項目を選択することを特徴とする請求項２記載の記録装置。
【請求項６】
前記通信手段は前記管理データを保存している外部サーバよりネットワークを介して前記管理データを受信することを特徴とする請求項１記載の記録装置。
【請求項７】
前記管理データは、他の記録装置に対し送信可能な形態で前記外部サーバに保存されていることを特徴とする請求項６記載の記録装置。
【請求項８】
前記制御手段は、前記通信手段により受信された管理データを前記記録媒体に記録するよう前記記録手段を制御することを特徴とする請求項１記載の記録装置。
【請求項９】
前記記録手段は、前記画像データと前記付加情報とを同一のファイルとして記録することを特徴とする請求項１記載の記録装置。
【請求項１０】
前記記録手段は、前記画像データと前記付加情報とをそれぞれ異なるファイルとして記録することを特徴とする請求項１記載の記録装置。
【請求項１１】
多数の分類項目からなる管理データを保存した管理装置と、それぞれ画像データを撮影して記録媒体に記録する複数の記録装置からなるシステムであって、
前記複数の記録装置がそれぞれ前記管理装置から前記管理データを取得し、前記管理データにおける多数の分類項目のうち前記画像データに応じた分類項目を選択し、前記選択した分類項目を示す付加情報を前記画像データに対応付けて前記記録媒体に記録することを特徴とする記録システム。
【請求項１２】
前記複数の記録装置のうちの一つは、前記記録媒体を用いて前記管理データを取得することを特徴とすることを特徴とする請求項１１記載の記録システム。
【請求項１３】
前記複数の記録装置のうちの一つは、ネットワークを介して前記管理データを取得することを特徴とする請求項１１記載の記録装置。
【発明の詳細な説明】
【０００１】
【発明の属する技術分野】
本発明は記録装置に関し、特には、画像データに対して付加情報を付加して記録する装置に関する。
【０００２】
【従来の技術】
近年、デジタルカメラやデジタルビデオカメラなどデジタル画像データを記録する画像記録装置の普及が進んでいる。このようなデジタル画像データを記録する装置では、画像データをファイルの形式で保存する構成となる。また、その際、撮影した時間の日時情報も画像データに付加して記録するのが一般的である。
【０００３】
しかし、これらの装置では、撮影時のイベントの情報などは画像データに記録されないため、もしイベントの情報などを画像データと関連付けして記録したい場合には、撮影後にユーザが入力する方法が取られている。
【０００４】
この場合、ビデオカメラを使って画像データにイベントの情報を関連付けするのではなく、画像データをビデオカメラからパーソナルコンピュータ（ＰＣ）に取り込んだ後に、ＰＣのアプリケーションソフトを利用して画像データにイベントの情報を関連付けする方法が一般的である。また、このときのイベントの情報は、ユーザが自分で入力するのが一般的である。
【０００５】
このように画像データと関連付けされたイベントの情報は、大量の画像データを分類したり、必要な画像データを検索したりする場合にも用いられる。
【０００６】
またこれとは別に、近年では、インターネットを利用して撮影した画像データを他の人にも公開することも行われている。更には、自分の撮影した画像データだけでなく複数の人がそれぞれの画像記録装置で撮影した画像データを、インターネットを利用してサーバにまとめて皆で共有して閲覧するようなシステムも利用され始めており、例えば、特許文献１に記載されている。これは、複数の人で同じイベントに参加した場合などには非常に便利なものとなっている。
【０００７】
【特許文献１】
特開２００２−２０９１３１号公報
【０００８】
【発明が解決しようとする課題】
しかしながら、複数の人が撮影した画像データをまとめて扱った場合、非常に大量の画像データを扱うことになり、結果として画像データの分類や検索が非常に難しくなるという問題が発生する。
【０００９】
この問題を解決するためには、各ユーザがイベントの情報を入力し画像データにイベントの情報を関連付けすれば良いが、この作業は非常に手間と負担がかかる上に、基本的には自分の撮影した画像データだけに限定されてしまう。つまり、複数の人が同じイベントに参加した場合には、全ての撮影者がイベントの情報をそれぞれ入力する必要が生じるということにある。
【００１０】
ところが、このイベントの情報の入力は非常に手間がかかる作業であるために、現実的には全てのユーザがイベントの情報を入力するとは限らない。また仮に全てのユーザが正確にイベントの情報を入力したとしても、それぞれ独自の表現になってしまい統一性がないという問題が生じる可能性がある。
【００１１】
そのため、同じイベントに参加した人がそれぞれ撮影した画像データをサーバなどにまとめた場合に、イベントの情報の内容がそれぞればらばらであったり、イベントの情報がついていない画像データもあったりするという中途半端な状況になる可能性が大きい。これでは、画像データに関連付けられているイベントの情報を元に画像を分類、検索しようとした場合に、混乱の原因となる。
【００１２】
本発明はこの様な問題を解決し、異なる記録装置の間で、共通の分類項目を容易に付加して記録可能とすることを目的とする。
【００１３】
【課題を解決するための手段】
前述の如き問題を解決するため、本発明の記録装置は、画像データを記録媒体に記録する記録手段と、多数の分類項目からなる管理データを装置外部より受信する通信手段と、前記管理データにおける多数の分類項目より前記画像データに応じた分類項目を選択し、前記選択した分類項目を示す付加情報を前記画像データに対応付けて前記記録媒体に記録するよう前記記録手段を制御する制御手段とを備える構成とした。
【００１４】
【発明の実施の形態】
以下、本発明の実施形態について説明する。
【００１５】
本実施形態では、デジタルカメラとスケジュールデータの管理装置としてのサーバとからなるシステムに対して本発明を適用した場合について説明する。
【００１６】
本形態では、デジタルカメラがスケジュールデータ管理装置とデータのやり取りを行うための手段として、インターネットに接続可能なＰＣを利用した場合の例を説明する。本形態ではＰＣを利用した例を説明するが、それ以外の方法を利用して、デジタルカメラとスケジュールデータ管理装置とがデータのやり取りを行う構成でも良い。
【００１７】
図２は、本実施形態のシステム全体の構成を示した図である。
【００１８】
図２に示す様に、本形態のシステムは、デジタルカメラ２１０、ＰＣ２２０、デジタルカメラ２３０、ＰＣ２４０、インターネット２５０、スケジュールデータ管理装置２６０で構成される。
【００１９】
ここで、デジタルカメラ２１０、２３０とＰＣ２２０、２４０は、ＵＳＢなどの一般的なインターフェースを使って接続される。これは、ブルートゥースなどを利用して無線で接続されていても良い。また、パーソナルコンピュータ２２０、２４０とスケジュールデータ管理装置２６０は、インターネット２５０を利用して接続される。
【００２０】
この様な構成において、管理装置２６０はスケジュールデータ作成サービスを提供しており、ＰＣ２２０を管理装置２６０に接続することで、ユーザはスケジュールデータの作成が可能となる。このときＰＣ２２０はＷｅｂ端末（クライアント）として機能し、実際には管理装置２６０でスケジュールデータが作成されることになる。スケジュールデータの作成方法は、現在一般的にＷｅｂサービスとして提供されているスケジュールサービスと同様の入力方法を用いる。
【００２１】
ユーザがスケジュールデータを作成する場合には、ＰＣ２２０を利用して管理部２６０に接続し、スケジュールデータを作成する。管理装置２６０はスケジュールデータが作成されると、スケジュールデータをファイルとして保存する。スケジュールデータは一つだけでなく複数作成して保存することが可能である。ここではＰＣ２２０でスケジュールデータを作成する例を示したが、管理装置２６０はサーバなので、ＰＣ２２０だけでなく管理装置２６０に接続可能なその他の機器を用いてスケジュールデータを作成することも可能である。
【００２２】
ここで、スケジュールデータについて説明する。スケジュールデータの構成を図３に示す。
【００２３】
図３の例は、結婚式に関するスケジュールを示したデータである。結婚式では五つのイベント（披露宴受付、新郎新婦入場、挨拶、二次会、三次会）が予定されているとする。
【００２４】
図３に示す様に、スケジュールデータは複数のイベント情報で構成されており、一つのイベント情報の属性として、開始日時、終了日時、イベント内容、場所をもつ。図３では、一行で一つのイベント情報を表している。スケジュールデータの実際のデータ保存形式は、ＣＳＶやＸＭＬなどのように一般的に利用されている形式でもよいし、その他の独自形式でも良い。ＣＳＶ形式のデータの例を図４に示す。
【００２５】
この例では、五つのイベントがあり、それぞれのイベントに対応するデータがイベント情報の属性に記述されている。例えば、「披露宴受付」というイベントは、日時が２００３年３月３日１３時から１３時３０分であり、場所は新宿という意味である。
【００２６】
このように、スケジュールデータはイベント情報の集合として構成されており、それぞれのイベント情報の属性情報として日時情報などを持つ。この例では、スケジュールデータの最も簡単な構成の一例を示したが、イベント情報を階層化して持つ構成や、他の属性情報を持つような構成でも良い。
【００２７】
ＰＣ２２０は、管理装置２６０だけでなくデジタルカメラ２１０にも接続されている。ＰＣ２２０で、管理装置２６０に保存されているスケジュールデータを指定してダウンロード処理を実行すると、ＰＣ２２０は指定したスケジュールデータファイルをダウンロードし、デジタルカメラ２１０に転送する。
【００２８】
デジタルカメラ２１０はスケジュールデータファイルを取得すると、そのファイルを装着されているメモリカードに保存する。また、スケジュールデータをメモリカードではなく、カメラ内部のメモリに一時的に記録するような構成でも良い。
【００２９】
デジタルカメラ２１０は、画像を撮影した際に、メモリカードにスケジュールデータ保存されている場合には、スケジュールデータに基づいて、撮影した画像データに対応した分類項目の情報を関連付けしてメモリカードに保存する。
【００３０】
例えば、スケジュールデータに記述されている時間に画像を撮影した場合には、その時のイベント情報を画像データに付加して記録する。図３、図４の例で示したスケジュールデータを保持しており、２００３年３月３日１４時３分に撮影を行った場合には、イベント内容「新郎新婦入場」と場所「新宿」というデータをその時撮影した画像データに付加して記録する。なお、撮影時において、デジタルカメラ２１０はＰＣ２２０と接続している必要はない。
【００３１】
また、ＰＣ２４０がデジタルカメラ２３０と管理装置２６０に接続されている場合、デジタルカメラ２３０の場合と同様に、ＰＣ２４０を利用して管理装置２６０に保存されているスケジュールデータをデジタルカメラ２３０に転送し保存することが可能である。
【００３２】
ここでのポイントは、デジタルカメラ２３０は管理装置２６０に保存されているスケジュールデータを利用するということである。つまり、ＰＣ２２０を用いて作成されたスケジュールデータでも、管理装置２６０に保存されていればデジタルカメラ２３０でも利用できるということである。具体的には、例えばＡさんが入力したスケジュールデータをＢさんも利用できるということであり、スケジュールデータを複数の人、または複数の画像記録装置で共有することができるということである。
【００３３】
そして、これら複数のデジタルカメラにおいて共通のスケジュールデータに基づいて、撮影した画像に対してイベントを示す付加情報を付加して記録することで、異なるデジタルカメラで撮影した画像に対して共通の分類項目を示す付加情報を付加することができる。
【００３４】
ここでは、二つのデジタルカメラでスケジュールデータを利用する場合の例を示したが、同様の構成でもっと多くのデジタルカメラでスケジュールデータを利用することも可能である。そのため、多数の人が同じイベントに参加する場合であっても、誰か一人がスケジュールデータを入力すれば他の人はスケジュールデータを入力する必要がなくなるということであり、大きな利便性がある。
【００３５】
このような構成とすることで、スケジュールデータ管理装置にスケジュールデータを作成し、作成したスケジュールデータを複数のデジタルカメラで使用することが可能となるのである。
【００３６】
なお、図２で示した以外の方法を利用して、デジタルカメラとスケジュールデータ管理装置とがデータのやり取りを行う構成をとることも可能である。
【００３７】
この場合のシステム全体の構成を図５に示す。
【００３８】
図５では、デジタルカメラ３１０、３２０、３８０と形態端末３５０の四つの装置でスケジュールデータを共有して利用している。図２の場合と同様に、ＰＣ３３０を利用して作成したスケジュールデータがスケジュールデータ管理装置３９０に保存されているとする。
【００３９】
デジタルカメラ３１０は、図２の場合とまったく同様に、ＰＣ３３０経由でスケジュールデータを取得することができる。デジタルカメラ３２０は直接ＰＣ３３０には接続せずに、ＰＣ３３０とデジタルカメラ３２０の両方で利用可能なメモリカード３２５を使ってＰＣ３３０からスケジュールデータを取得する。
【００４０】
形態端末３５０は、いわゆるデジタルカメラつきの携帯電話に代表される装置でありであり、無線基地局３６０を経由することでインターネット３４０への接続が可能である。そのため、管理装置３９０への接続も可能となり、スケジュールデータを取得することができる構成となっている。
【００４１】
デジタルカメラ３８０は、携帯端末３７０と接続することによってインターネット３４０へ接続可能であり、デジタルカメラ３５０の場合と同様に無線基地局経由３６０経由でスケジュールデータを取得することが可能である。
【００４２】
この図５の様に、携帯電話などのＰＣ以外のインターネットに接続可能な機器を利用してスケジュールデータ管理装置と交信を行う構成や、メモリカードを利用することでデジタルカメラがスケジュールデータを取得する構成においても、本発明は適用される。
【００４３】
次に、図２におけるデジタルカメラの内部構成および動作について説明する。
【００４４】
図１は本発明が適用されるデジタルカメラの構成を示すブロック図である。
【００４５】
図１において、１０１は被写体の光学像を電気信号に変換し、所定の処理を施して出力する撮像部である。１０２は撮像部１０１〜出力された画像データを周知の方法で圧縮符号化するエンコーダであり、静止画の場合はＪＰＥＧ方式、動画の場合はＭＰＥＧ方式に従って符号化する。１０３は画像データやスケジュールデータなどのデジタルデータをファイルとしてメモリカードＭに記録再生する記録再生部である。１０４は記録再生部１０３により再生された画像データや外部装置などから受信した画像データをデコードするデコーダ、１０５は撮像部１０１とデコーダ１０４殻の画像データに従う画像を表示する表示部である。１０６はカメラ全体の動作を制御する制御部であり、マイクロコンピュータを有する。１０７は各種の操作スイッチや操作パネル、リモコンなどを含む操作部である。１０８は、現在の日時情報を計時するタイマである。１０９は撮影した画像データやメモリカードＭに記録した画像データをネットワークを介して装置外部のサーバとの間で送受信すると共に、図２のスケジュール管理装置２４０からスケジュールデータを受信する通信処理部である。
【００４６】
撮像部１０１は被写体の光学像を電気信号に変換し、その電気信号をデジタル信号に変換した後、各種の処理を施してエンコーダ１０２と表示部１０５に出力する。エンコーダ１０３は、制御部１０６から記録指示を受けると、撮像部１０１から出力された画像データを符号化してそのデータ量を圧縮し、記録再生部１０３に出力する。ここで、エンコーダ１０２は、静止画データの場合はＪＰＥＧ方式で圧縮し、動画データの場合はＭＰＥＧ方式で圧縮する。
【００４７】
記録再生部１０３は、制御部１０６からの指示に従い、エンコーダ１０２から出力された画像データに対して記録フォーマットに従う各種のデータを付加し、メモリカードＭに記録する。本形態では、静止画像データについては１フレームを一つのファイルとして記録し、動画像データについては、記録開始の指示から記録停止の指示までの間に記録する一連のデータを一つのファイルとして記録する。また、記録再生部１０３は、記録開始後に後述の如く制御部１０６から日時情報とイベント情報を受け取った場合には、それらのデータを画像データと関連付けしてメモリカードＭに記録する。この際、日時情報とイベント情報を画像データのメタデータとして画像データと同一のファイル内に付加して記録しても良いし、また、画像データとは別のファイルで記録する構成でも良い。
【００４８】
再生時においては、操作部１０７より再生指示があると、制御部１０６は指定されたファイルを再生するよう記録再生部１０３に対して再生指示を出す。記録再生部１０３は指定された画像データのファイルをメモリカードＭより再生し、デコーダ１０４に出力する。デコーダ１０４は再生された画像データをデコードして表示部１０５に出力し、その画像を表示する。
【００４９】
また、メモリカードＭに記録した画像データのファイルを外部に送信することも可能であり、この場合、記録再生部１０３は指定されたファイルを再生した後、通信処理部１０９に出力する。通信処理部１０９は、伝送路を介した外部のサーバなどと通信し、再生された画像データのファイルを送信する。
【００５０】
通信処理部１０９は、図２に示した様に、ネットワークを介してスケジュール管理装置よりダウンロードしたスケジュールデータをＰＣより受信し、記録再生部１０３に出力する。記録再生部１０３はこのスケジュールデータをメモリカードＭに記録する。
【００５１】
即ち、図２のシステムにおいて、ＰＣ２２０、２４０がスケジュール管理装置２６０からネットワーク２５０を介してダウンロードしたスケジュールデータの送信要求があると、通信処理部１０９はその旨を制御部１０６に出力する。制御部１０６は通信処理部１０９に対してＰＣ２２０、２４０からのスケジュールデータの受信開始を指示すると共に、記録再生部１０３に対し、受信したスケジュールデータの記録を指示する。
【００５２】
また、制御部１０６は、操作部１０７より記録指示を受け取ると、タイマ１０８より現在の日時情報を取得すると共に、メモリカードＭにスケジュールデータが記録されているかどうかを調べる。もしメモリカードＭにスケジュールデータがなかった場合には、制御部１０６は日時情報を記録再生部１０３に送る。
【００５３】
また、メモリカードＭにスケジュールデータがあった場合には、スケジュールデータに記述されている各イベント情報の日時情報と現在の日時情報を比較して、いずれかのイベントの行われている時間であれば、そのイベント情報を記録再生部１０３に送る。制御部１０６はマイクロコンピュータを内蔵しておりこれらの処理はプログラムで記述され実行される。
【００５４】
また、通信処理部１０９は外部のサーバより画像データを受信することも可能であり、外部から受信したデータが画像データだった場合、デコーダ１０４に画像データを出力する。
【００５５】
次に、画像データの撮影時における制御部１０６の処理について図６のフローチャートを用いて説明する。
【００５６】
記録開始の指示があると、タイマ１０８の出力より現在の日時情報を取得する（ステップＳ６０１）。次に、メモリカードＭにスケジュールデータが記録されているかどうか判別し（ステップＳ６０２）、スケジュールデータが記録されていた場合、記録再生部１０３によりそのスケジュールデータを読み出して内部のメモリに格納する。そして、スケジュールデータのイベント情報の日時情報と、現在の日時情報を比較する（ステップＳ６０３）。スケジュールデータのイベント情報は、図３で説明したように開始日時情報と終了日時情報を持つので、全てのイベントの日時情報と現在の日時情報を比較する。もし、現在日時がいずれかのイベントの日時に含まれる場合、スケジュールデータより現在のイベント情報を抽出し（ステップＳ６０４）、このイベント情報を記録再生部１０３に出力して画像データと日時情報、イベント情報を関連付けてメモリカードＭに記録する。
【００５７】
また、ステップＳ６０１でメモリカードＭにスケジュールデータが記録されていなかった場合、及び、ステップＳ６０２で現在の日時がスケジュールデータにおける各イベント情報の日時に含まれていなかった場合には、タイマ１０８より取得した現在の日時情報を記録再生部１０３に出力する（ステップＳ６０６）。
【００５８】
この様に、本形態によれば、撮影前に予めスケジュールデータをデジタルカメラに保存しておくことで、撮影時に撮影時間とスケジュールデータを元に自動的にイベントの情報などの付加情報を画像データと関連付けして記録することができる。
【００５９】
また、スケジュールデータをスケジュールデータ管理装置により保存し、複数のデジタルカメラにおいてそれぞれ、スケジュールデータ管理装置よりスケジュールデータをダウンロードし、保存することにより、異なる複数のデジタルカメラの間で共通のスケジュールデータを利用してイベント情報を付加することが可能となる。
【００６０】
そして、この様に共通のスケジュールデータを使用して撮影した画像データを分類する場合には、イベントデータごとに分類することが可能となるので、画像の分類や検索が非常に楽に行えるようになる。
【００６１】
次に、本発明の第２の実施形態を説明する。
【００６２】
本実施形態では、ＰＣとデジタルカメラが交信可能であり、ＰＣがスケジュールデータ管理装置として機能する例を示す。
【００６３】
図７は、本形態のシステム全体の構成を示す図である。
【００６４】
図７に示す様に、本形態のシステムは、ＰＣ、デジタルカメラ７１０、７２０、７３０、メモリカード７４０で構成される。
【００６５】
ここで、デジタルカメラ７１０、７２０とＰＣ７００はＵＳＢなどの一般的なインターフェースを使って接続される。これは、ブルートゥースなどを利用して無線で接続されていても良い。
【００６６】
この様な構成において、ＰＣ７００はスケジュールデータ管理装置として機能しており、ユーザはＰＣ７００でスケジュールデータの作成が可能となる。スケジュールデータの作成方法は、現在アプリケーションソフトとして提供されている一般的なスケジュール管理ソフトと同様の入力方法を用いる。
【００６７】
ユーザがスケジュールデータを作成する場合には、ＰＣ７００を利用してスケジュールデータを作成する。ＰＣ７００は作成されたスケジュールデータをファイルとして保存する。本形態では一つだけでなく複数のスケジュールデータを作成して保存することが可能である。スケジュールデータの構成は図３に示したものと同様である。
【００６８】
ＰＣ７００とデジタルカメラ７１０はケーブルで接続されており、ＰＣ７００においてスケジュールデータを指定して転送処理を実行すると、ＰＣ７００は指定したスケジュールデータファイルをデジタルカメラ７１０に転送する。
【００６９】
デジタルカメラ７１０はスケジュールデータファイルを取得すると、そのファイルをデジタルカメラの記録媒体に保存する。なお、メモリカードではなくスケジュールデータをデジタルカメラの内部メモリに一時的に記録するような構成でも良い。
【００７０】
デジタルカメラ７１０は、画像を撮影したときにメモリカードにスケジュールデータが記録されている場合には、図６に示した様に、スケジュールデータに基づいて撮影した画像データとスケジュールデータのイベント情報を関連付けして保存する。
【００７１】
また、ＰＣ７００がデジタルカメラ７２０と接続されている場合は、デジタルカメラ７１０の場合と同様に、ＰＣ７００からスケジュールデータをデジタルカメラ７２０に転送し保存することが可能である。
【００７２】
デジタルカメラ７３０は直接ＰＣ７００には接続せずに、ＰＣ７００とデジタルカメラ７３０の両方で利用可能なメモリカード７４０を使って、ＰＣ７００からデジタルカメラ７３０にスケジュールデータを取得する。
【００７３】
この様に構成することによって、ＰＣ７００で作成したスケジュールデータをＰＣ７００とデータのやり取りが可能な複数のデジタルカメラで共通に利用することが可能となる。また、ＰＣを利用するため、システムの規模は小さく、また、インターネットに接続している必要もないという利点がある。これは、例えば家族で複数のデジタルカメラを持っているような場合に適している。
【００７４】
図７における各デジタルカメラの内部構成および動作は、第一の実施形態と同様であるので説明を省略する。
【００７５】
この様に、本形態においても、ＰＣで作成したスケジュールデータを保存し、複数のデジタルカメラにおいてそれぞれ、ＰＣよりスケジュールデータをダウンロードし、保存することにより、異なる複数のデジタルカメラの間で共通のスケジュールデータを利用してイベント情報を付加することが可能となる。
【００７６】
そして、この様に共通のスケジュールデータを使用して撮影した画像データを分類する場合には、イベントデータごとに分類することが可能となるので、画像の分類や検索が非常に楽に行えるようになる。
【００７７】
なお、前述の各実施形態では、図３に示したスケジュールデータを利用して、撮影した画像データに付加情報を付加していたが、スケジュールデータ以外にも、多数の分類項目を持つ管理データを複数の記録装置間で共通に用いる構成をとることも可能である。
【００７８】
例えば、場所、地域の名称などを分類項目としてもつ管理データを複数の記録装置間で共通に用いることで、異なる記録装置で撮影した画像データに対し、共通の分類項目を付加情報として付加することが可能となる。近年では、カメラ付き携帯電話に代表される携帯端末装置などに対し、ＧＰＳの機能を持たせて位置情報を検出するシステムも一般的になっており、この様なシステムにおいては、場所、地域などの分類項目を持つ管理データに基づいて分類項目の付加情報を付加することは有効である。
【００７９】
【発明の効果】
以上説明したように、本発明によれば、異なる複数の記録装置の間で共通の分類項目を付加することができ、画像の分類や検索が非常に楽に行えるようになる。
【図面の簡単な説明】
【図１】本発明が適用されるデジタルカメラの構成を示す図である。
【図２】本発明が適用されるシステムの構成を示す図である。
【図３】スケジュールデータの様子を示す図である。
【図４】スケジュールデータの例を示す図である。
【図５】本発明が適用されるシステムの他の構成を示す図である。
【図６】スケジュールデータを利用した記録時の処理を示すフローチャートである。
【図７】本発明が適用されるシステムの他の構成を示す図である。
【図１】
2004336543.tif 000003
【図２】
2004336543.tif 000004
【図３】
2004336543.tif 000005
【図４】
2004336543.tif 000006
【図５】
2004336543.tif 000007
【図６】
2004336543.tif 000008
【図７】
2004336543.tif 000009